【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
方法であって、
１つ以上の演算装置を備えるクラウドインフラストラクチャシステムが、前記クラウドインフラストラクチャシステムによって提供される一組のサービスに対応する一組のサービス宣言を格納するステップと、
前記クラウドインフラストラクチャシステムの前記１つ以上の演算装置からの演算装置が、顧客からサブスクリプションオーダー情報を受取るステップとを備え、前記サブスクリプションオーダー情報は、前記クラウドインフラストラクチャシステムによって提供される前記一組のサービスから、選択されたサービスを特定し、前記方法はさらに、
前記一組のサービス宣言からの前記クラウドインフラストラクチャシステムが、前記選択されたサービスのために特定のサービス宣言を決定するステップを備え、前記特定のサービス宣言は、前記選択されたサービスを可能化するためにリソースをプロビジョニングするための１つ以上のプロシージャを示す情報を備え、前記方法はさらに、
前記クラウドインフラストラクチャシステムが、前記特定のサービス宣言における前記情報に基づいて、前記選択されたサービスをプロビジョニングするステップを備える、方法。
【請求項２】
システムであって、
一組のクラウドサービスを提供するように構成可能な１つ以上の演算装置と、
クラウドインフラストラクチャシステムによって提供される前記一組のクラウドサービスに対応する一組のサービス宣言を格納するように構成可能なメモリとを備え、
前記１つ以上の演算装置は、
顧客からサブスクリプションオーダー情報を受取るように構成可能であり、前記サブスクリプションオーダー情報は、前記クラウドインフラストラクチャシステムによって提供される前記一組のクラウドサービスから、選択されたサービスを特定し、前記１つ以上の演算装置はさらに、
前記選択されたサービスのために特定のサービス宣言を決定するように構成可能であり、前記特定のサービス宣言は、前記選択されたサービスを可能化するためにリソースをプロビジョニングするための１つ以上のプロシージャを示す情報を備え、前記１つ以上の演算装置はさらに、
前記特定のサービス宣言における前記情報に基づいて、前記選択されたサービスをプロビジョニングするように構成可能である、システム。
【請求項３】
前記クラウドインフラストラクチャシステムによって提供される前記一組のクラウドサービスは、サービスに特有のカスタムコードなしでプロビジョニングされる、請求項２に記載のシステム。
【請求項４】
前記１つ以上の演算装置が、前記クラウドインフラストラクチャシステムによって提供される前記一組のクラウドサービスにサービスを追加するためのサービス宣言テンプレートを提供するようにさらに構成され、
前記１つ以上の演算装置が、新たなサービスを前記クラウドインフラストラクチャシステムに登録するための変更されたサービス宣言を受取るようにさらに構成され、前記変更されたサービス宣言は、前記新たなサービスを可能化するために一組のリソースをプロビジョニングするための一組のプロシージャを示す情報を備え、
前記１つ以上の演算装置が、前記クラウドインフラストラクチャシステムによって提供される前記一組のクラウドサービスに前記新たなサービスを追加するようにさらに構成される、請求項２または３に記載のシステム。
【請求項５】
前記サービス宣言テンプレートは、拡張マークアップ言語（ＸＭＬ）文書またはＸＭＬスキーマ定義（ＸＳＤ）文書であり、前記サービス宣言テンプレートは、クラウドインフラストラクチャシステムによって提供される前記一組のクラウドサービスに追加されるサービスをプロビジョニングするための特定のスキーマおよび実行フローに関する情報を提供するための部分を提供する、請求項４に記載のシステム。
【請求項６】
前記顧客から１つ以上の入力要件を受取るようにさらに構成され、前記１つ以上の入力要件は、前記選択されたサービスを可能化するためにリソースをプロビジョニングするために、前記特定のサービス宣言によって順番に必要とされる、請求項２〜５のいずれか１項に記載のシステム。
【請求項７】
前記一組のサービス宣言は、さまざまなサービス提供、サービス関連付け、超過、使用メトリック、顧客通知テンプレート、課金情報、物理的ストレージ、物理的コンポーネント、ユニフォーム・リソース・ロケータ（ＵＲＬ）ルーティング、モニタリング構成またはネットワーク構成についての情報を含む拡張マークアップ言語（ＸＭＬ）文書である、請求項２〜６のいずれか１項に記載のシステム。
【請求項８】
前記選択されたサービスをプロビジョニングするためにビジネスプロセス実行言語（ＢＰＥＬ）ベースの要求処理エンジンが使用され、前記ＢＰＥＬベースの要求処理エンジンは、前記特定のサービス宣言に定義されたタスクを実行するように構成される、請求項２〜７のいずれか１項に記載のシステム。
【請求項９】
一組のクラウドサービスを提供するためのシステムであって、
クラウドインフラストラクチャシステムによって提供される前記一組のクラウドサービスに対応する一組のサービス宣言を格納するための手段と、
顧客からサブスクリプションオーダー情報を受取るための手段とを備え、前記サブスクリプションオーダー情報は、前記クラウドインフラストラクチャシステムによって提供される前記一組のクラウドサービスから、選択されたサービスを特定し、前記システムはさらに、
前記選択されたサービスのために特定のサービス宣言を決定するための手段を備え、前記特定のサービス宣言は、前記選択されたサービスを可能化するためにリソースをプロビジョニングするための１つ以上のプロシージャを示す情報を備え、前記システムはさらに、
前記特定のサービス宣言における前記情報に基づいて、前記選択されたサービスをプロビジョニングするための手段を備える、システム。
【請求項１０】
前記クラウドインフラストラクチャシステムによって提供される前記一組のクラウドサービスは、サービスに特有のカスタムコードなしでプロビジョニングされる、請求項９に記載のシステム。
【請求項１１】
前記クラウドインフラストラクチャシステムによって提供される前記一組のクラウドサービスにサービスを追加するためのサービス宣言テンプレートを提供するための手段と、
新たなサービスを前記クラウドインフラストラクチャシステムに登録するための変更されたサービス宣言を受取るための手段とをさらに備え、前記変更されたサービス宣言は、前記新たなサービスを可能化するために一組のリソースをプロビジョニングするための一組のプロシージャを示す情報を備え、
１つ以上の演算装置が、前記クラウドインフラストラクチャシステムによって提供される前記一組のクラウドサービスに前記新たなサービスを追加するための手段をさらに備える、請求項９または１０に記載のシステム。
【請求項１２】
前記サービス宣言テンプレートは、拡張マークアップ言語（ＸＭＬ）文書またはＸＭＬスキーマ定義（ＸＳＤ）文書であり、前記サービス宣言テンプレートは、クラウドインフラストラクチャシステムによって提供される前記一組のクラウドサービスに追加されるサービスをプロビジョニングするための特定のスキーマおよび実行フローに関する情報を提供するための部分を提供する、請求項１１に記載のシステム。
【請求項１３】
前記顧客から１つ以上の入力要件を受取るための手段をさらに備え、前記１つ以上の入力要件は、前記選択されたサービスを可能化するためにリソースをプロビジョニングするために、前記特定のサービス宣言によって順番に必要とされる、請求項９〜１２のいずれか１項に記載のシステム。
【請求項１４】
一組のクラウドサービスを提供するように構成されたクラウドインフラストラクチャシステムのためのコンピュータ読取可能プログラムであって、前記コンピュータ読取可能プログラムは、
前記クラウドインフラストラクチャシステムに、前記クラウドインフラストラクチャシステムによって提供される前記一組のクラウドサービスに対応する一組のサービス宣言を格納させ、
前記クラウドインフラストラクチャシステムに、顧客からサブスクリプションオーダー情報を受取らせ、前記サブスクリプションオーダー情報は、前記クラウドインフラストラクチャシステムによって提供される前記一組のクラウドサービスから、選択されたサービスを特定し、前記コンピュータ読取可能プログラムはさらに、
前記クラウドインフラストラクチャシステムに、前記選択されたサービスのために特定のサービス宣言を決定させ、前記特定のサービス宣言は、前記選択されたサービスを可能化するためにリソースをプロビジョニングするための１つ以上のプロシージャを示す情報を備え、前記コンピュータ読取可能プログラムはさらに、
前記クラウドインフラストラクチャシステムに、前記特定のサービス宣言における前記情報に基づいて、前記選択されたサービスをプロビジョニングさせる、コンピュータ読取可能プログラム。
【請求項１５】
前記クラウドインフラストラクチャシステムに、前記クラウドインフラストラクチャシステムによって提供される前記一組のクラウドサービスにサービスを追加するためのサービス宣言テンプレートをさらに提供させ、
前記クラウドインフラストラクチャシステムに、新たなサービスを前記クラウドインフラストラクチャシステムに登録するための変更されたサービス宣言をさらに受取らせ、前記変更されたサービス宣言は、前記新たなサービスを可能化するために一組のリソースをプロビジョニングするための一組のプロシージャを示す情報を備え、
前記クラウドインフラストラクチャシステムに、前記クラウドインフラストラクチャシステムによって提供される前記一組のクラウドサービスに前記新たなサービスをさらに追加させる、請求項１４に記載のコンピュータ読取可能プログラム。
【請求項１６】
前記クラウドインフラストラクチャシステムに、前記顧客から１つ以上の入力要件をさらに受取らせ、前記１つ以上の入力要件は、前記選択されたサービスを可能化するためにリソースをプロビジョニングするために、前記特定のサービス宣言によって順番に必要とされる、請求項１４または１５に記載のコンピュータ読取可能プログラム。